(57)【要約】【課題】  従来の木造軸組構造よりも施工が容易で、木造枠組壁構造よりも制約が少ない新しい木造建物の構造を提供する。【解決手段】  第１方向に延びる長板が並んで構成される第１平板部と、第１方向に直交する第２方向に延びる長板が並んで構成される第２平板部とが交互に積層された板材と、端部に前記板材と接合するための突部を有する複数の柱材と、を備え、前記板材は、前記複数の柱材の突部がそれぞれ嵌合する複数の穴を有し、前記複数の柱材の上方に前記板材が、前記突部を前記穴に嵌合して取り付けられ、前記板材の第１平板部が梁として機能し、第２平板部が根太として機能する、木造建築の構造。【選択図】  図１
2019173457.tif 000002
【特許請求の範囲】
【請求項１】
第１方向に延びる長板が並んで構成される第１平板部と、第１方向に直交する第２方向に延びる長板が並んで構成される第２平板部とが交互に積層された板材と、
端部に前記板材と接合するための突部を有する複数の柱材と、を備え、
前記板材は、前記複数の柱材の突部がそれぞれ嵌合する複数の穴を有し、
前記複数の柱材の上方に前記板材が、前記突部を前記穴に嵌合して取り付けられ、
前記板材の第１平板部が梁として機能し、第２平板部が根太として機能する、
木造建築の構造。
【請求項２】
前記板材は、
前記第１平板部と前記第２平板部とが交互に積層され、該板材の上面及び下面には前記第１平板部が露出するように積層されている、
または、前記第１平板部と前記第２平板部とが交互に積層され、最上面及び最下面には前記第１平板部が配されていて、これらを挟み込むように、最上面の上及び最下面の下に、さらに前記第１平板部がそれぞれ配されている、
請求項１に記載の木造建物の構造。
【請求項３】
前記板材が有する穴は、少なくとも最上面又は最下面に露出した第１平板部を貫通する深さの穴である、
請求項１又は２に記載の木造建物の構造。
【請求項４】
木造建物の下方に配される土台をさらに備え、
前記複数の柱材は、両端部に前記突部を有し、
前記土台は、前記複数の柱材の突部がそれぞれ嵌合する複数の穴を有し、
前記複数の柱材の下方に前記土台が、前記突部を前記穴に嵌合して取り付けられる、
請求項１乃至３のいずれか１項に記載の木造建物の構造。
【請求項５】
前記柱材と前記板材の接合部と、前記柱材と前記土台の接合部とを対角線上に結ぶ線状材が設けられている、
請求項４に記載の木造建物の構造。
【請求項６】
前記板材を複数備え、
第１の板材は、前記複数の穴が上面及び下面に設けられ、
第２の板材は、前記複数の穴が少なくとも下面に設けられ、
前記複数の柱のうち第１の柱群の上方に第１の板材が、該第１の柱群の一方の突部を該第１の板材の下面の穴に嵌合して取り付けられ、
前記第１の柱群の下方に前記土台が、該第１の柱群の他方の突部を該土台の穴に嵌合して取り付けられ、
前記複数の柱のうち第２の柱群の上方に第２の板材が、該第２の柱群の一方の突部を該第２の板材の下面の穴に嵌合して取り付けられ、
前記第２の柱群の下方に第１の板材が、該第２の柱群の他方の突部を該第１の板材の上面の穴に嵌合して取り付けられている、
請求項４又は請求項５に記載の木造建物の構造。
【請求項７】
前記第１の板材と前記第２の柱群の柱材との接合部と、前記第２の板材と前記第２の柱群の柱材との接合部とを対角線上に結ぶ線状材が設けられている、
請求項６に記載の木造建物の構造。
【請求項８】
前記第１の板材と前記第２の板材と前記柱材とで構成される面に、板状の面材がさらに取り付けられている、
請求項６に記載の木造建物の構造。
【請求項９】
前記柱材と前記板材と前記土台とで構成される面に、板状の面材がさらに取り付けられている、
請求項４に記載の木造建物の構造。
【請求項１０】
前記柱材と前記板材の接合部にこれらを固定する金物が取り付けられ、
前記柱材と前記土台の接合部にこれらを固定する金物が取り付けられている、
請求項４乃至請求項９のいずれか１項に記載の木造建物の構造。
【請求項１１】
前記土台に代えて木造建物の基礎の上に前記板材を配する、
又は、前記土台の上に前記板材を配する、
請求項４乃至請求項１０のいずれか１項に記載の木造建物の構造。
【請求項１２】
前記複数の柱材は、所定数の柱材が前記第１方向に沿って配され、該所定数の柱材からなる柱材列が、前記第１方向と平行に前記第２方向に沿って列状に配されている、
請求項１乃至請求項１１のいずれか１項に記載の木造建物の構造。
【請求項１３】
第１方向に延びる長板が並んで構成される第１平板部と、第１方向に直交する第２方向に延びる長板が並んで構成される第２平板部とが交互に積層された板材と、
複数の柱材と、を備え、
前記板材は、前記複数の柱材の端部がそれぞれ嵌合する複数の穴を有し、
前記複数の柱材の上方に前記板材が配され、該複数の柱材が、該板材の穴にそれぞれ嵌合して取り付けられ、
前記板材の第１平板部が梁として機能し、第２平板部が根太として機能する、
木造建築の構造。
【請求項１４】
前記板材は、
前記第１平板部と前記第２平板部とが交互に積層され、該板材の上面及び下面には前記第１平板部が露出するように積層されている、
または、前記第１平板部と前記第２平板部とが交互に積層され、最上面及び最下面には前記第１平板部が配されていて、これらを挟み込むように、最上面の上及び最下面の下に、さらに前記第１平板部がそれぞれ配されている、
請求項１３に記載の木造建物の構造。
【請求項１５】
前記板材が有する穴は、少なくとも最上面又は最下面に露出した第１平板部を貫通する深さの穴である、
請求項１３又は１４に記載の木造建物の構造。
【請求項１６】
木造建物の下方に配される土台をさらに備え、
前記土台は、前記複数の柱材の端部がそれぞれ嵌合する複数の穴を有し、
前記複数の柱材の下方に前記土台が、前記端部を前記穴に嵌合して取り付けられる、
請求項１３乃至１５のいずれか１項に記載の木造建物の構造。
【請求項１７】
前記柱材と前記板材の接合部と、前記柱材と前記土台の接合部とを対角線上に結ぶ線状材が設けられている、
請求項１６に記載の木造建物の構造。
【請求項１８】
前記板材を複数備え、
第１の板材は、前記複数の穴が上面及び下面に設けられ、
第２の板材は、前記複数の穴が少なくとも下面に設けられ、
前記複数の柱のうち第１の柱群の上方に第１の板材が、該第１の柱群の一方の端部を該第１の板材の下面の穴に嵌合して取り付けられ、
前記第１の柱群の下方に前記土台が、該第１の柱群の他方の端部を該土台の穴に嵌合して取り付けられ、
前記複数の柱のうち第２の柱群の上方に第２の板材が、該第２の柱群の一方の端部を該第２の板材の下面の穴に嵌合して取り付けられ、
前記第２の柱群の下方に第１の板材が、該第２の柱群の他方の端部を該第１の板材の上面の穴に嵌合して取り付けられている、
請求項１６又１７に記載の木造建物の構造。
【請求項１９】
前記第１の板材と前記第２の柱群の柱との接合部と、前記第２の板材と前記第２の柱群の柱との接合部とを対角線上に結ぶ線状材が設けられている、
請求項１８に記載の木造建物の構造。
【請求項２０】
前記第１の板材と前記第２の板材と前記柱材とで構成される面に、板状の面材がさらに取り付けられている、
請求項１８に記載の木造建物の構造。
【請求項２１】
前記柱材と前記板材と前記土台とで構成される面に、板状の面材がさらに取り付けられている、
請求項１６に記載の木造建物の構造。
【請求項２２】
前記柱材と前記板材の接合部にこれらを固定する金物が取り付けられ、
前記柱材と前記土台の接合部にこれらを固定する金物が取り付けられている、
請求項１６乃至請求項２１のいずれか１項に記載の木造建物の構造。
【請求項２３】
前記土台に代えて木造建物の基礎の上に前記板材を配する、
又は、前記土台の上に前記板材を配する、
請求項１６乃至請求項２２のいずれか１項に記載の木造建物の構造。
【請求項２４】
前記複数の柱材は、所定数の柱材が前記第１方向に沿って配され、該所定数の柱材からなる柱材列が、前記第１方向と平行に前記第２方向に沿って列状に配されている、
請求項１３乃至請求項２３のいずれか１項に記載の木造建物の構造。
【請求項２５】
第１方向に延びる長板が並んで構成される第１平板部と、第１方向に直交する第２方向に延びる長板が並んで構成される第２平板部とが交互に積層された板材と、
複数の柱材と、を備え、
前記複数の柱材の上方に前記板材が配され、該複数の柱材と該板材が接合され、
前記板材の第１平板部が梁として機能し、第２平板部が根太として機能する、
木造建築の構造。
【発明の詳細な説明】
【技術分野】
【０００１】
本発明は、新しい木造建物の構造に関する。
【背景技術】
【０００２】
従来の木造建物の構造は、柱、梁及び土台を軸として構成される木造軸組構造、又は、複数の平板を組み合わせてこれらを面として組み合わせて構成される木造枠組壁構造（２×４構造）が一般的である。
【０００３】
木造軸組構造は日本で最も多くの木造建物に用いられている伝統的なものであり、タテ木として種々の柱、ヨコ木として土台や梁などを組み上げた構造で、柱や梁などの縦横の軸が上からの荷重を支える。そして、これらの軸組の上に床材などを敷き詰めて床を形成する。このように、木造軸組構造は、線状の木材で組み上げられるため、構造的な制約が少なく、間取りやデザインの自由度が高い。
【０００４】
一方、木造枠組壁構造は、米国などで多く用いられているもので、規定の木材を用いて枠組を作り、そこに合板を貼った木製パネルで箱を作るようにして建てられる構造である。上記の木造軸組構造が「軸」なのに対して、「面」で構成されていて、柱の代わりに壁、梁の代わりに床や天井で支えられる。また、木造軸組構造に比べて、施工が比較的容易で職人の技量に左右されず工期も短い。
【発明の概要】
【発明が解決しようとする課題】
【０００５】
上記した通り、従来の木造軸組構造は、構造的な制約が少なく間取りやデザインの自由度が高い反面、施工が難しく職人の技量によって左右されるという課題がある。また、工期も比較的長い。一方、木造枠組壁構造は、施工が比較的容易で職人の技量に左右されず工期も短い反面、制約があり自由度が低いという課題がある。また、木造枠組壁構造は、職人の技量に左右されにくいが、我が国においては木造軸組構造が主流であるため、この施工に対応できる職人はまだ少ないという課題もある。
【０００６】
本発明の目的は、従来の木造軸組構造よりも施工が容易で工期が短く、木造枠組壁構造よりも制約が少なく自由度が高い新しい木造建物の構造を提供することにある。
【課題を解決するための手段】
【０００７】
本発明に係る一の態様の木造建物の構造は、第１方向に延びる長板が並んで構成される第１平板部と、第１方向に直交する第２方向に延びる長板が並んで構成される第２平板部が交互に積層された板材と、端部に前記板材と接合するための突部を有する複数の柱材と、を備え、前記板材は、前記複数の柱材の突部がそれぞれ嵌合する複数の穴を有し、前記複数の柱材の上方に前記板材が、前記突部を前記穴に嵌合して取り付けられ、前記板材の第１平板部が梁として機能し、第２平板部が根太として機能することを特徴とする。
【０００８】
この構成によれば、従来の木造軸組構造におけるタテ木はそのまま柱を用い、梁などのヨコ木として板材の第１方向に延びる長板で構成される第１平板部が担うことで、従来の木造軸組構造の枠組みに収まるものでありながら、横架材が不要になることで施工の容易性や工期の短縮を図ることが可能となる。また、板材の第２方向に延びる長板で構成される第２平板部が従来の木造軸組構造における床の軸組である根太を担い、根太が不要になることでも施工の容易性や工期の短縮が図られる。
【０００９】
また、この構造は従来の木造軸組構造の枠組みに収まるものであるため、我が国の職人の対応も比較的容易である。さらには、ヨコ木を板材に置きかえることで、床の遮音性能の向上や、面内せん断剛性の向上なども期待できる。
【００１０】
また、この木造建物の構造は、前記板材が、前記第１平板部と前記第２平板部とが交互に積層され、該板材の上面及び下面には前記第１平板部が露出するように積層されていることが好ましい。この構成によれば、板材の上面及び下面に第１平板部が配され、これに挟み込まれるように、第２平板部が挟まれ（３層の場合）、又は、第１平板部、第２平板部、第１平板部が交互に積層されている（５層以上の場合）。これにより、梁などの横架材に相当する第１平板部が第２平板部よりも１枚多く積層されることとなり、横架材に相当する部分の強度が向上する。
【００１１】
または、前記板材が、前記第１平板部と前記第２平板部とが交互に積層され、最上面及び最下面には前記第１平板部が配されていて、これらを挟み込むように、最上面の上及び最下面の下に、さらに前記第１平板部がそれぞれ配されている構成としてもよい。この構成によれば、板材の最上面及び最下面に第１平板部が配され、これに挟み込まれるように、第１平板部、第２平板部、第１平板部と交互に積層されている。これにより、梁などの横架材に相当する第１平板部が第２平板部よりも３枚多く積層されることとなり、横架材に相当する部分の強度がさらに向上する。
【００１２】
また、この木造建物の構造は、前記板材が有する穴が、少なくとも最上面又は最下面に露出した第１平板部を貫通する深さの穴であるとよい。この構成によれば、柱材と嵌合する穴が少なくとも第１平板部を貫通することで、確実に柱材と板材とを固定できる。
【００１３】
また、この木造建物の構造は、木造建物の下方に配される土台をさらに備え、前記複数の柱材は、両端部に前記突部を有し、前記土台は、前記複数の柱材の突部がそれぞれ嵌合する複数の穴を有し、前記複数の柱材の下方に前記土台が、前記突部を前記穴に嵌合して取り付けられる構造としてもよい。この構成によれば、従来の木造軸組構造に近い構造となり、従来の木造軸組構造の職人の施工がしやすい。
【００１４】
また、この木造建物の構造は、前記柱材と前記板材の接合部と、前記柱材と前記土台の接合部とを対角線上に結ぶ線状材が設けられていることが好ましい。ここで、線状材には、長板状の板材からなる筋交いや、鉄筋やアングルなど型鋼からなるブレースが含まれる。この構成によれば、木造建物の強度や耐震性が向上する。
【００１５】
また、この木造建物の構造は、前記板材を複数備え、第１の板材は、前記複数の穴が上面及び下面に設けられ、第２の板材は、前記複数の穴が少なくとも下面に設けられ、前記複数の柱のうち第１の柱群の上方に第１の板材が、該第１の柱群の一方の突部を該第１の板材の下面の穴に嵌合して取り付けられ、前記第１の柱群の下方に前記土台が、該第１の柱群の他方の突部を該土台の穴に嵌合して取り付けられ、前記複数の柱のうち第２の柱群の上方に第２の板材が、該第２の柱群の一方の突部を該第２の板材の下面の穴に嵌合して取り付けられ、前記第２の柱群の下方に第１の板材が、該第２の柱群の他方の突部を該第１の板材の上面の穴に嵌合して取り付けられている。
【００１６】
また、この木造建物の構造は、前記第１の板材と前記第２の柱群の柱との接合部と、前記第２の板材と前記第２の柱群の柱との接合部とを対角線上に結ぶ線状材が設けられていることが好ましい。この構成によれば、長板状の板材からなる筋交いや鉄筋やアングルなど型鋼からなるブレースなどの線状材を設けることで、木造建物の強度や耐震性が向上する。
【００１７】
また、この木造建物の構造は、前記第１の板材と前記第２の板材と前記柱材とで構成される面に、板状の面材がさらに取り付けられている構成としてもよい。この構成によれば、上記した線状材に代えて、合板等の面材を設けることで、木造建物の強度や耐震性の向上を図ることができる。
【００１８】
また、この木造建物の構造は、前記柱材と前記板材と前記土台とで構成される面に、板状の面材がさらに取り付けられている。この構成によれば、木造建物の強度や耐震性の向上を図ることができる。
【００１９】
また、木造建物の構造は、前記柱材と前記板材の接合部にこれらを固定する金物が取り付けられ、前記柱材と前記土台の接合部にこれらを固定する金物が取り付けられていることが好ましい。この構成によれば、接合部の強度や耐震性が向上する。
【００２０】
また、木造建物の構造は、前記土台に代えて木造建物の基礎の上に前記板材を配する、又は、前記土台の上に前記板材を配する構成としてもよい。この構成によれば、従来の木造軸組構造における土台が不要となり、さらに施工が容易となり、工期も短縮できる。
【００２１】
また、木造建物の構造は、前記複数の柱材は、所定数の柱材が前記第１方向に沿って配され、該所定数の柱材からなる柱材列が、前記第１方向と平行に前記第２方向に沿って列状に配されていることが好ましい。複数の柱材をこのように配することで、板材の第１平板部の第１方向に延びる長板が横架材としての機能を効果的に発揮する。
【００２２】
本発明に係る一の態様の木造建物の構造は、第１方向に延びる長板が並んで構成される第１平板部と、第１方向に直交する第２方向に延びる長板が並んで構成される第２平板部とが交互に積層された板材と、複数の柱材と、を備え、前記板材は、前記複数の柱材の端部がそれぞれ嵌合する複数の穴を有し、前記複数の柱材の上方に前記板材が配され、該複数の柱材が、該板材の穴にそれぞれ嵌合して取り付けられ、前記板材の第１平板部が梁として機能し、第２平板部が根太として機能する。この木造建物の構造は、柱材に突部を設けず、板材の穴に柱材の突部でなく柱材の端部を穴に嵌合する構造である。板材の第１平板部の長板が横架材として機能し、第２平板部の長板が根太として機能するため、従来の軸組構造の枠組みに収まりながら、施工が容易となり工期の短縮を図ることができる。同時に、床の遮音性能の向上や、面内せん断剛性の向上なども期待できる。
【００２３】
本発明に係る一の態様の木造建物の構造は、第１方向に延びる長板が並んで構成される第１平板部と、第１方向に直交する第２方向に延びる長板が並んで構成される第２平板部とが交互に積層された板材と、複数の柱材と、を備え、前記複数の柱材の上方に前記板材が配され、該複数の柱材と該板材が接合され、前記板材の第１平板部が梁として機能し、第２平板部が根太として機能する。この木造建物の構造は、板材の穴を設けず、板材と柱材とを金物等で固定する構造である。
【発明の効果】
【００２４】
本発明によれば、従来の木造軸組構造よりも施工が容易で工期が短く、木造枠組壁構造よりも制約が少なく自由度が高い。
【図面の簡単な説明】
【００２５】
【図１】本発明の一実施形態に係る木造建物の構造を示す模式図である。
【図２】柱材と土台との接合部を示す説明図である。
【図３】柱材と板材との接合部を示す説明図である。
【図４】柱材と板材を示す説明図である。
【図５】板材と従来の木造軸組構造の構成部材との対応を示す説明図である。
【図６】筋交いを取り付けた木造建物の構造を示す模式図である。
【図７】柱材と土台との接合部を示す説明図である。
【図８】木造建物の構造の変形例を示す模式図である。
【図９】木造建物の構造の変形例を示す模式図である。
【図１０】木造建物の構造の変形例の柱材と板材との接合部を示す説明図である。
【発明を実施するための形態】
【００２６】
以下、本発明に係る一実施形態を図面に基づき説明するが、本発明は下記実施形態に限定されるものではない。本実施形態においては、一例として２階建ての木造建物の構造について説明するが、本発明は１階建てや３階建て以上の木造建物にも適用可能である。また、本実施形態においては、一例として板材に２つの第１平板部で１つの第２平板部を挟み込んだ３層構造の板材を用いて説明するが、本発明に用いる板材は５層や７層など、３層以上の板材も適用可能である。
【００２７】
＜木造建物の構造＞
図１は本発明の一実施形態に係る木造建物の構造を示す模式図である。図２は柱材と土台との接合部を示す説明図である。図３は柱材と板材との接合部を示す説明図である。図４は柱材と板材を示す説明図である。図５は板材と従来の木造軸組構造の構成部材との対応を示す説明図である。
【００２８】
図１に示すように、木造建物１０は、２階建ての構造であって、下方の基礎４と、基礎の上に土台３と、複数の柱材２と、２つの板材１と、を主要な構成として備える。なお、図１では屋根部がない構成としているが、従来の木造軸組構造と同様の屋根部の構造を用いてもよい。
【００２９】
基礎４は、従来の木造軸組構造と同様、鉄筋とコンクリートで形成され、地面に敷設されている。土台３は、例えば檜などを使用した木製のヨコ材であり、基礎４とアンカーボルトで固定されている。また、土台３の上面には、複数の穴３１が設けられていて、柱材２の突部２１と嵌合する（図２参照）。
【００３０】
柱材２は、例えば杉などを使用した木製のタテ材であり、下端に突部２１と、上端に突部２２が設けられている（図４参照）。また、柱材２の突部２１と土台３の穴３１とが嵌合した接合部には、柱材２と土台３に渡るようにネジ止めされた金物５を補強材として用いる（図２参照）。
【００３１】
図３、図４、図５に示すように、板材１は、第１方向Ｘに延びる木製の長板が複数並んで接着された第１平板部１１と、第１方向に直交する第２方向Ｙに延びる木製の長板が複数並んで接着された第２平板部１２が交互に積層され、これらが接着されてなる板材である。具体的には、本実施形態の板材１は、対向する２枚の第１平板部１１の間に、１枚の第２平板部１２が介在するように積層された３層構造である。
【００３２】
なお、板材１の３層構造は、本実施形態の一例であり、第１平板部１１が３枚と、これらの各間に第２平板部１２が２枚介在した５層構造や、第１平板部１１が４枚と第２平板部１２が３枚の７層構造、また下方から順に２枚の第１平板部１１、１枚の第２平板部１２、１枚の第１平板部１１、１枚の第２平板部１２、２枚の第１平板部１１とする７層構造などを用いてもよい。また、各長板は同寸の幅のものを用いてもよいが、幅が異なる寸法の長板を用いて平板部を構成することも可能である。
【００３３】
また、木造建物１０において板材１は２つ用いられていて、１つは木造建物１０の１階の天井と２階の床となる下方の板材１（下方の板材を「１Ａ」と称する）であり、もう１つは２階の天井となる上方の板材１（上方の板材を「１Ｂ」と称する）である。下方の板材１Ａは、下面に１階の柱となる複数の柱材２に対応する位置に、柱材２の上端の突部２２が嵌合する穴１３が複数形成されている。また、同下方の板材１Ａは、上面に２階の柱となる複数の柱材２に対応する位置に、下端の突部２１が嵌合する穴１３が複数形成されている（図４参照）。
【００３４】
そして、この板材１Ａの下面の穴１３と、１階部分の柱材２の突部２２とが嵌合したそれぞれの接合部には、板材１Ａと柱材２に渡るようにネジ止めされた金物が補強材として用いられているまた、この板材１Ａの上面の穴１３と、２階部分の柱材２の突部２１とが嵌合したそれぞれの接合部には、同様に板材１Ａと柱材２に渡るようにネジ止めされた金物が補強材として用いられている（図３の符号６参照）。
【００３５】
一方、木造建物１の２階の天井となる上方の板材１Ｂは、下面に２階の柱となる複数の柱材２に対応する位置に、柱材２の上端の突部２２が嵌合する穴１３が複数形成されている。そして、この板材１Ｂの下面の穴１３と、１階部分の柱材２の突部２２とが嵌合したそれぞれの接合部には、板材１Ｂと柱材２に渡るようにネジ止めされた金物が補強材として用いられている。
【００３６】
図５に示すように、この板材１は、第１平板部１１の第１方向Ｘに延びる複数の長板が、従来の木造軸組構造における梁や桁などの横架材に相当する。これにより、そして、第２平板部１２の第２方向Ｙに延びる長板が、従来の木造軸組構造における床板を支えるための床下に渡す横木、すなわち根太に相当する。
【００３７】
この構成により、柱と横架材に相当する第１平板部１１の長板とで、従来の木造軸組構造と同様の構造を有することとなる。さらに、第２平板部１２の長板が根太に相当するため、従来の軸組構造における横架材及び根太、すなわち在来の木造軸組構造の水平構面を、第１平板部１１及び第２平板部１２が積層された板材１に置き換えることができる。これにより、従来の軸組構造における横架材や軸組に敷き詰める床材が不要になることで、施工が容易となり、工期の短縮が可能となり、くわえて、床の遮音性能の向上、面内せん断剛性の向上も図ることができる。
【００３８】
＜変形例１＞
図６は筋交いを取り付けた木造建物の構造を示す模式図である。図７は柱材と土台との接合部を示す説明図である。図６、図７に示すように、本実施形態の木造建物は、柱材２と土台３の接合部と、柱材２と板材１の接合部を対角線上に結ぶ筋交いが設けられていてもよい。また、柱材２と板材１の接合部同士を対角線上に結ぶ筋交いが設けられていてもよい。
【００３９】
具体的には、図７に示すように、柱材２と土台３の接合部から、図示しない隣の柱材２と板材１の下面の接合部に向けて筋交い７を取り付ける。また、筋交い７は、一例として柱材２に金物８によって固定されている。なお、金物８の形状は一例であり、別の構造の金物を用いてもよい。また、本実施形態は片筋交いを取り付けた一例であり、両筋交いを取り付けることも可能である。
【００４０】
このように、本実施形態の木造建物の構造は、従来の木造軸組構造と同様に筋交いを取り付けることが可能であり、各接合部同士を対角線上に結ぶ筋交いを設けることで、強度や耐震性を向上することが可能となる。
【００４１】
＜変形例２＞
また、図８は木造建物の構造の別の変形例を示す模式図である。上記実施形態との主な相違点は、土台３を板材１にした点である。これにより、基礎４の上に土台３を組むこと及び別途床材を敷き詰める必要がなく、板材１と基礎４とを固定することで足り，さらに施工が容易となる。
【００４２】
＜変形例３＞
図９は木造建物の構造の別の変形例を示す図であり、面材を取り付けた構造を示す模式図である。図９に示すように、本実施形態の木造建物は、２つの柱材２と土台３と板材１で囲われる面と、２つの柱材２と２つの板材１で囲われる面とに、面材９が設けられていてもよい。このように面材を設けることで、強度や耐震性を向上することが可能となる。
【００４３】
＜変形例４＞
図１０は木造建物の構造の別の変形例を示す図であり、板材の穴に柱材を嵌合する木造建物の構造を示す板材と柱材との接合部を示す図である。図１０に示すように、本実施形態の木造建物は、柱材２の端部を板材１の穴に嵌合する構造である。
【００４４】
以上のとおり、図面を参照しながら本発明の好適な実施形態を説明したが、本発明の趣旨を逸脱しない範囲内で、種々の追加、変更または削除が可能である。
【符号の説明】
【００４５】
１  板材
１１  第１平板部
１２  第２平板部
１３  穴
２  柱材
２１  突部
２２  突部
３  土台
３１  穴
４  基礎
５  金物
６  金物
７  筋交い
８  金物
９  面材
１０  木造建物
【図１】
2019173457.tif 000003
【図２】
2019173457.tif 000004
【図３】
2019173457.tif 000005
【図４】
2019173457.tif 000006
【図５】
2019173457.tif 000007
【図６】
2019173457.tif 000008
【図７】
2019173457.tif 000009
【図８】
2019173457.tif 000010
【図９】
2019173457.tif 000011
【図１０】
2019173457.tif 000012